(57)【要約】  手持ち式衛星無線機に取り付けられ且つ静止衛星との通信のために広範囲の位置を取るよう無線機に対して関節接合され得る放射器本体内に集積されるＬＮＡを有するコンパクトなＳＡＴＣＯＭアンテナが提供される。
2009545933.tif 000002
【特許請求の範囲】
【請求項１】
衛星無線機との使用のためのアンテナであって、
無線機に接続するよう構成されるコネクタと、バランとを含む結合器を含み、
低雑音増幅器を含むプリント回路板が取り付けられるハウジングと、前記結合器と前記ハウジングとの間に接続されるリンク機構とを有する第一放射器区画を含み、
前記第一放射器区画に接続される第二放射器区画を含み、前記リンク機構は、前記結合器に対する前記第一放射器区画及び前記第二放射器区画の関節接合を許容し、
一端部で、前記結合器の前記コネクタ及び前記バランに結合され、且つ、反対端部で、前記第一放射器区画の前記プリント回路板に結合される同軸ケーブルを含む、
アンテナ。
【請求項２】
前記コネクタ、前記バラン、及び、前記リンク機構の一端部は、互いに軸方向に整列され、且つ、非伝導性本体内に集合的に埋設され、前記非伝導性本体は、前記結合器を形成する保護材料でオーバーラップされる、請求項１に記載のアンテナ。
【請求項３】
前記リンク機構は、可撓性導体である、請求項１に記載のアンテナ。
【請求項４】
前記第一放射器区画の前記ハウジングは、取付部を含み、前記第二放射器区画は、前記取付部に取り外し可能に結合される、請求項１に記載のアンテナ。
【請求項５】
前記取付部の一部を取り囲むスリーブと、前記プリント回路板を支持するケーシングとをさらに含み、前記スリーブ、前記ケーシング、及び、前記リンク機構の一端部の一部は、非伝導性本体で包み込まれ、該非伝導性本体は、保護材料でオーバーラップされる、請求項１に記載のアンテナ。
【請求項６】
前記取付部は、前記プリント回路板に接続される、請求項４に記載のアンテナ。
【発明の詳細な説明】
【技術分野】
【０００１】
本発明は、衛星通信（ＳＡＴＣＯＭ）アンテナに関し、より具体的には、衛星無線機に直接的に接続され且つ広範囲の位置に関節接合され得る集積低雑音増幅器（ＬＮＡ）を有するコンパクトなＳＡＴＣＯＭアンテナに関する。
【背景技術】
【０００２】
手持ち式及び他の種類の衛星無線機は、信号を送受信するためにアンテナを必要とし、静止衛星との通信するための十分な利得を備えなければならない。多数の適切なアンテナが過去に開発されたが、殆どは比較的大きく嵩張り、それらは容器、バックパック、又は、類似物から取り出され、次に、使用のために開かれなければならない。多くの状況において、時間は最も重要であり、無線機のためにアンテナを組み立てるために立ち止まることなく「移動しながら」通信することが望ましい。その上、手持ち式無線機の場合には、もしアンテナが無線機の動作及び輸送と干渉しないよう移動しながら使用されるべきであるならば、アンテナはコンパクト且つ軽量でなければならない。
【０００３】
ＬＮＡは、典型的には、帯域外干渉を減少し且つ高いダイナミックレンジを達成しながら受信性能を増大するために利用される。ＬＮＡは能動装置であり、ＤＣ電力を必要とする。アンテナ内に集積されるとき、ＬＮＡは無線機によって電力供給され且つ切り換えられる。ＬＮＡは、ＬＮＡ後に起こるシステム損失を克服することによって、システム雑音指数に関して縦続システム性能を向上する。
【発明の概要】
【発明が解決しようとする課題】
【０００４】
本発明は、手持ち式衛星無線機に取り付けられ且つ静止衛星との通信のために広範囲の位置を取るよう無線機に対して関節接合され得る放射器本体内に集積されるＬＮＡを備えるコンパクトなＳＡＴＣＯＭアンテナに関する。
【課題を解決するための手段】
【０００５】
本発明のアンテナは、好ましくは、衛星無線機に接続されるよう構成される結合器と、頂部放射器区画と、ハウジングを含む底部放射器区画と、結合器と底部放射器区画との間に延在するリンク機構とを含むダイポールアンテナである。２つの区画が所望に分解され得るよう、頂部放射器区画は、好ましくは、ネジ付き接続部によって底部放射器区画に接合される。底部放射器区画のハウジングは、ＬＮＡを組み込むプリント回路板を取り囲む。
【０００６】
リンク機構は、好ましくは、結合器へのその接続地点に対して広範囲の位置内で容易に移動され得るグースネック又は他の長さの可撓導体又は類似物である。これは無線機操作者が底部放射器区画、故に、頂部放射器区画を関節接合し、通信のために使用されるべき衛星と偏波整列(polarization alignment)することを可能にする。
【０００７】
この発明の現時点における好適実施態様の構造、動作、及び、利点は、付属の図面と共に、以下の記載を検討した後、さらに明らかになるであろう。
【図面の簡単な説明】
【０００８】
【図１】本発明のＳＡＴＣＯＭアンテナへの手持ち式無線機接続を示す正面図であり、アンテナの関節接合は点線及び実線で示されている。
【図２】結合器とアンテナの底部放射器区画とを示す断面図である。
【図３】図２中に断面で描写される底部放射器区画の部分を示す拡大図である。
【図４】図３の線４−４に概ね沿って取られた断面図である。
【発明を実施するための形態】
【０００９】
図１を参照すると、この発明のＳＡＴＣＯＭアンテナ１０は、結合器１４によって手持ち式無線機１２に接続されて示されている。アンテナ１０は、好ましくは、頂部放射器区画１６と、底部放射器区画１８とを有するダイポールアンテナであり、底部放射器区画は、回路板ハウジング２０とリンク機構２２とによって形成されている。リンク機構２２は、好ましくは、グースネック又は他の形態の容易に屈曲可能な長さの金属又は類似の可撓導体であり、それは関節接合位置に移動され得るし、再び移動されるまで、そこに留まり得る。リンク機構２２の関節接合の程度は、図１に部分的に例証されており、アンテナ１０は、実線及び仮想線の両方で描写されている。リンク機構２２は、所望であれば、図１が描写されたシートの平面に出入りするよう移動され得るし、無線機１２に向かって移動され得ることが理解されるべきである。さらに、ここにおいて使用されるとき、「頂部」、「底部」、「内部」、及び、「外部」という用語は、この発明の素子が図面中に示される向きにおける、それらの素子の位置及び／又は方向に言及している。
【００１０】
図２に最良に見られるように、結合器１４は、コネクタ２４と、バラン２６とを含み、それらは互いに軸方向に整列され、同軸ケーブル２８の一方の端部に結合されている。コネクタ２４は、好ましくは、ネジ付きニール−コンセルマン(threaded Neill-Concelman)コネクタ（ＴＮＣコネクタ）、又は、同軸ケーブルを無線機１２に結合するのに適した他のコネクタである。結合器１４を形成するために、リンク機構２２の一端部は、コネクタ２４及びバラン２６と軸方向に整列して配置され、次に、全ての３つの構成部品は、エポキシ又は他の適切な材料で形成される非伝導性本体３０内に入れられる。エポキシ又は他の適切な材料は、そのような構成部品の上に注がれ或いは噴射され、然る後、リンク機構２２及びコネクタ２４の整列を保証する強化構造を形成するよう硬化される。次に、本体３０は、好ましくはゴム又は類似物のような弾性材料の層又は複数層の形態のオーバーラップ３２によって覆われている。
【００１１】
図３及び４を今や参照すると、アンテナ１０の底部放射器区画１８の回路板ハウジング２０が詳細に示されている。ハウジング２０は、好ましくはその長手軸に沿って半分に切断されたシリンダの形状に形成されたケーシング３４を含み、よって、図３中に描写された半体区画及びカバー（図示せず）を定める。カバーは、ネジ３６によって、図３中に例証される場所でケーシング３４の他の半体に接続されている。ケーシング３４の２つの半体は、側壁３８と、対向する端壁４０及び４２と、端壁４０から外向きに突出する円筒形状の延長部４４とを定める。延長部４４は、例えば、クリンプ加工又は類似方法によって、リンク機構２２の一端部に接続されている。
【００１２】
現時点における好適実施態様では、プリント回路板４６が、図４中に示される位置でケーシング３４内に取り付けられている。プリント回路板４６の一端部は、端壁４０に接続し、その反対端部は、端壁４２を越えて延び、内ネジ付き円錐形の導体ナット５０内に形成されたスロットと係合している。結合器１４からの同軸ケーブル２８は、中空のリンク機構２２を通じて延び、端壁４０付近でプリント回路板４６に接続している。図４中に概略的に描写されているように、プリント回路板４６は、ＬＮＡ（低雑音増幅器）５４を含み、従って、ＬＮＡは、アンテナ１０の底部放射器区画１８内に集積されている。
【００１３】
ケーシング３４、故に、プリント回路板４６、並びに、ナット５０及びリンク機構２２の一部は、好ましくは、上述された本体３０と同一の材料の伝導性本体５６内に包み込まれる。初めに、ハウジング２０のケーシング３４の２つの半体が組み立てられ、プラスチック又は類似物で形成されるスリーブ５８が、円錐形の伝導性ナット５０の内部端部の上に滑合される。スリーブ５８は、エポキシがケーシング３４及びナット５０の上に注がれるときに、エポキシがケーシング３４の内部に進入し、プリント回路板４６を汚染することを防止する。エポキシが硬化して非伝導性本体５６を形成するや否や、オーバーラップ３２と同一種類のオーバーラップ６０が本体５６を覆い、リンク機構２２及びナット５０の双方と係合する。ケーシング３４、本体５６、及び、オーバーラップ６０は、集合的に、プリント回路板４６のためのハウジング２０を形成している。
【００１４】
２つの放射器区画１６及び１８を一体に接続するために、頂部放射器区画１６は、ナット５０のネジ付きボア５２内に受容されるネジ付き延長部（図示せず）を備えて形成される。これは図１中に例証されるような完全なアンテナ１０を形成する。アンテナ１０を無線機１２に接続する結合器１４を用いることで、アンテナ１０は、それを関心の衛星と整列するよう、本質的に無限数の位置に移動され得る。ＬＮＡ５４はアンテナ１０の底部放射器区画１８内に集積されるので、電送線損失は削減される。無線機１２は、ＬＮＡ５４を切換え且つ電力供給するために１２ボルトＤＣを給電する。
【図１】
2009545933.tif 000003
【図２】
2009545933.tif 000004
【図３】
2009545933.tif 000005
【図４】
2009545933.tif 000006
【手続補正書】
【提出日】平成20年4月29日(2008.4.29)
【手続補正１】
【補正対象書類名】特許請求の範囲
【補正対象項目名】全文
【補正方法】変更
【補正の内容】
【特許請求の範囲】
【請求項１】
結合器によって手持ち式衛星無線機に接続されるよう構成されるダイポール衛星通信アンテナであって、
頂部放射器区画と、
回路板ハウジングを含む底部放射器区画と、
前記結合器に対する前記頂部放射器区画及び前記底部放射器区画の関節接合を許容するリンク機構とを含み、
前記結合器は、
前記無線機に接続するよう構成されるコネクタと、
該コネクタと同軸ケーブルの一端部との中間に伝導的に取り付けられるバランと、
前記リンク機構の第一端部と、前記コネクタと、前記バランとを包み込む強化構造を形成する非伝導性本体とを含み、
前記底部放射器区画の前記回路板ハウジングは、
ケーシングと、
該ケーシング内に取り付けられるプリント回路板とを含み、
前記結合器からの前記同軸ケーブルは、前記リンク機構を通じて延び、前記プリント回路板の一端部に接続し、
取付部が、前記プリント回路板の第二端部に接続され、
前記取付部は、前記底部放射器区画の前記回路板ハウジング内に閉じ込められ、前記頂部放射器区画は、前記取付部に取り外し可能に結合され、
前記プリント回路板は、低雑音増幅器を含み、
前記ケーシング及び前記リンク機構の第二端部は、非伝導性本体内に包み込まれる、
アンテナ。
【請求項２】
前記コネクタ、前記バラン、及び、前記リンク機構の一端部は、互いに軸方向に整列され、且つ、前記非伝導性本体内に集合的に埋設され、前記非伝導性本体は、前記結合器を形成するよう保護材料でオーバーラップされる、請求項１に記載のアンテナ。
【請求項３】
前記リンク機構は、可撓性導体である、請求項１に記載のアンテナ。
【請求項４】
前記取付部の一部及び前記プリント回路板を支持する前記ケーシングを取り囲むスリーブをさらに含み、前記ケーシング及び前記リンク機構の一端部の一部は、前記非伝導性本体で包み込まれ、前記非伝導性本体は、保護材料でオーバーラップされる、請求項１に記載のアンテナ。
【国際調査報告】
2009545933.tif 000007
2009545933.tif 000008